(57)【要約】  中継局がハンドオーバを行うことによる移動局の通信への影響を抑制する。  移動通信システムにおいて、移動局（３０）は、中継局（２０）を介して基地局（１０）または基地局（１０ａ）により送信されるチャネルを間欠的に受信する。ここで、中継局（２０）は、自局の接続先を基地局（１０）から基地局（１０ａ）に切り替えるハンドオーバの実行前に、基地局（１０ａ）についての情報を送信する。移動局（３０）は、ハンドオーバの前に中継局（２０）から受信した基地局（１０ａ）についての情報に基づいて、ハンドオーバの後に中継局（２０）からチャネルを受信するタイミングを制御する。
2012059994.tif 000002
【特許請求の範囲】
【請求項１】
移動局が中継局を介して第１または第２の基地局により送信されるチャネルを間欠的に受信する移動通信システムの無線通信方法であって、
前記中継局が、自局の接続先を前記第１の基地局から前記第２の基地局に切り替えるハンドオーバの実行前に、前記第２の基地局についての情報を送信し、
前記移動局が、前記ハンドオーバの前に前記中継局から受信した前記第２の基地局についての情報に基づいて、前記ハンドオーバの後に前記中継局から前記チャネルを受信するタイミングを制御する、
ことを特徴とする無線通信方法。
【請求項２】
前記第２の基地局についての情報には、前記移動局が前記チャネルを受信するフレームを特定するために用いる情報が含まれることを特徴とする請求の範囲第１項記載の無線通信方法。
【請求項３】
前記中継局は、前記ハンドオーバの前に、前記第１の基地局と前記第２の基地局との間のフレームタイミングのずれを示す時間差情報を更に送信し、
前記移動局は、前記ハンドオーバの前に前記中継局から受信した前記時間差情報に基づいて、前記ハンドオーバを実行した後の前記中継局と同期を取る、
ことを特徴とする請求の範囲第２項記載の無線通信方法。
【請求項４】
前記中継局は、前記第２の基地局についての情報を報知チャネルで送信することを特徴とする請求の範囲第１項記載の無線通信方法。
【請求項５】
前記中継局は、前記ハンドオーバの前に、前記報知チャネルで伝送される情報が変化したことを示す通知情報を前記チャネルに挿入し、
前記移動局は、前記チャネルに前記通知情報が含まれていることを検出したとき、前記報知チャネルを受信して前記第２の基地局についての情報を抽出する、
ことを特徴とする請求の範囲第４項記載の無線通信方法。
【請求項６】
前記中継局は、前記ハンドオーバの前は、前記第１の基地局の報知情報と前記第２の基地局についての情報とを多重化して前記報知チャネルで送信することを特徴とする請求の範囲第４項記載の無線通信方法。
【請求項７】
前記中継局は、前記第２の基地局についての情報を、前記第２の基地局から受信するかまたは前記第１の基地局経由で取得することを特徴とする請求の範囲第１項記載の無線通信方法。
【請求項８】
前記チャネルは、前記移動局の呼び出しに用いられるページングチャネルであることを特徴とする請求の範囲第１項記載の無線通信方法。
【請求項９】
第１および第２の基地局と移動局との間で通信を中継する中継局であって、
前記第１の基地局により送信されるチャネルを前記第１の基地局に応じたタイミングで転送し、自局の接続先を前記第１の基地局から前記第２の基地局に切り替えるハンドオーバが実行された後、前記第２の基地局により送信される前記チャネルを前記第２の基地局に応じたタイミングで転送する送信部と、
前記ハンドオーバの前に、前記第２の基地局についての情報を、前記チャネルを間欠的に受信する前記移動局に通知する制御部と、
を有することを特徴とする中継局。
【請求項１０】
第１または第２の基地局に接続する中継局を介して、前記第１または第２の基地局により送信されるチャネルを間欠的に受信する受信部と、
前記中継局の接続先を前記第１の基地局から前記第２の基地局に切り替えるハンドオーバが実行される前に、前記中継局から前記第２の基地局についての情報を取得し、前記第２の基地局についての情報に基づいて、前記ハンドオーバの後に前記中継局から前記チャネルを受信するタイミングを制御する制御部と、
を有することを特徴とする移動局。
【請求項１１】
所定のチャネルを異なるタイミングで送信する第１および第２の基地局と、
前記第１または第２の基地局に接続し、接続先の基地局により送信される前記チャネルを前記接続先の基地局に応じたタイミングで転送する中継局と、
前記中継局から前記チャネルを間欠的に受信する移動局と、を有し、
前記中継局は、前記接続先の基地局を前記第１の基地局から前記第２の基地局に切り替えるハンドオーバの実行前に、前記第２の基地局についての情報を送信し、
前記移動局は、前記ハンドオーバの前に前記中継局から受信した前記第２の基地局についての情報に基づいて、前記ハンドオーバの後に前記中継局から前記チャネルを受信するタイミングを制御する、
ことを特徴とする移動通信システム。
【発明の詳細な説明】
【技術分野】
【０００１】
本発明は、無線通信方法、中継局、移動局および移動通信システムに関する。
【背景技術】
【０００２】
現在、携帯電話システムなどの移動通信システムが広く利用されている。また、無線通信の更なる高速化・大容量化を図るべく、次世代の移動通信技術について継続的に活発な議論が行われている。例えば、国際標準化団体の３ＧＰＰ（3rd Generation Partnership Project）では、ＬＴＥ（Long Term Evolution）と呼ばれる規格が提案されている（例えば、非特許文献１〜３参照）。また、ＬＴＥを拡張したＬＴＥ−Ａ（Long Term Evolution - Advanced）と呼ばれる規格も提案されている（例えば、非特許文献４参照）。【０００３】
移動通信システムでは、基地局と移動局との間で通信を中継する中継局を設けることがある。中継局を設けることで、セル範囲の拡張やスループットの向上などを図ることができる。ただし、中継局では、受信信号と自局の送信信号との間で干渉（自己干渉）が生じる可能性がある。例えば、基地局・中継局間に用いる周波数帯域と中継局・移動局間に用いる周波数帯域とが重複している場合、移動局に対して送信した無線信号が自局の受信回路に回り込み、基地局から無線信号を正常に受信できなくなるおそれがある。そこで、中継局が、基地局と通信を行うタイミングと移動局と通信を行うタイミングとを調整して、自己干渉を抑制することが提案されている（例えば、非特許文献４の第９節参照）。【０００４】
また、移動通信システムでは、移動局が待ち受け状態にあるとき、基地局から無線信号を受信するタイミングを限定することで、移動局の省電力化を図る方法がある。例えば、移動局は、基地局が送信するページングチャネルを、基地局との間で予め合意されたタイミングで定期的に受信し、それ以外のタイミングでは受信処理を停止する。基地局は、移動局に対する呼び出しを行う場合、呼び出し先の移動局を示すページング情報をページングチャネルで送信する。移動局は、ページングチャネルを受信して自局の呼び出しを検出すると、データ通信を再開する（例えば、非特許文献３の第５．３．２節参照）。
【先行技術文献】
【非特許文献】
【０００５】
【非特許文献１】3rd Generation Partnership Project, "Evolved Universal Terrestrial Radio Access (E-UTRA); Physical Channels and Modulation", 3GPP TS 36.211 V9.1.0, 2010-03.
【非特許文献２】3rd Generation Partnership Project, "Evolved Universal Terrestrial Radio Access (E-UTRA); Physical layer procedures", 3GPP TS 36.213 V9.1.0, 2010-03.
【非特許文献３】3rd Generation Partnership Project, "Evolved Universal Terrestrial Radio Access (E-UTRA); Radio Resource Control (RRC); Protocol specification", 3GPP TS 36.331 V9.2.0, 2010-03.
【非特許文献４】3rd Generation Partnership Project, "Feasibility study for Further Advancements for E-UTRA", 3GPP TR 36.912 V9.0.0, 2009-09.
【発明の概要】
【発明が解決しようとする課題】
【０００６】
ところで、基地局と移動局とが中継局を介して通信を行う移動通信システムにおいて、中継局が接続先の基地局を切り替えるハンドオーバを行う場合が考えられる。例えば、中継局が列車や自動車などの車両に搭載され、移動局が当該車両の乗客により携帯されており中継局を介して通信を行う場合、移動局の接続先を切り替えるハンドオーバは発生しないが中継局の接続先を切り替えるハンドオーバが発生するという状況が考えられる。【０００７】
しかし、その場合、中継局のハンドオーバが、間欠的に受信処理を行う状態にある移動局に与える影響が問題となる。例えば、移動局が受信すべきページングチャネルの送信タイミングは、基地局によって異なることがある。このため、中継局がハンドオーバを行うと、移動局にページングチャネルを転送するタイミングも変化し得る。間欠受信状態にある移動局は、中継局でハンドオーバが発生した後は、ハンドオーバ前と同様のタイミングでページングチャネルを受信しようとしても受信に失敗する可能性がある。ページングチャネルの受信に失敗した移動局は、例えば、中継局の圏外に移動したと判断してセルサーチなどの処理をやり直すことが考えられる。よって、移動局は、ページングチャネルを間欠的に受信する状態に戻るまでに時間を要し、消費電力が増大するという問題がある。【０００８】
本発明はこのような点に鑑みてなされたものであり、中継局がハンドオーバを行うことによる移動局の通信への影響を抑制することができる無線通信方法、中継局、移動局および移動通信システムを提供することを目的とする。
【課題を解決するための手段】
【０００９】
上記課題を解決するために、移動局が中継局を介して第１または第２の基地局により送信されるチャネルを間欠的に受信する移動通信システムの無線通信方法が提供される。この無線通信方法では、中継局が、自局の接続先を第１の基地局から第２の基地局に切り替えるハンドオーバの実行前に、第２の基地局についての情報を送信する。移動局が、ハンドオーバの前に中継局から受信した第２の基地局についての情報に基づいて、ハンドオーバの後に中継局からチャネルを受信するタイミングを制御する。【００１０】
また、第１および第２の基地局と移動局との間で通信を中継する中継局が提供される。この中継局は、送信部と制御部とを有する。送信部は、第１の基地局により送信されるチャネルを第１の基地局に応じたタイミングで転送し、自局の接続先を第１の基地局から第２の基地局に切り替えるハンドオーバが実行された後、第２の基地局により送信されるチャネルを第２の基地局に応じたタイミングで転送する。制御部は、ハンドオーバの前に、第２の基地局についての情報を、チャネルを間欠的に受信する移動局に通知する。【００１１】
また、受信部と制御部とを有する移動局が提供される。受信部は、第１または第２の基地局に接続する中継局を介して、第１または第２の基地局により送信されるチャネルを間欠的に受信する。制御部は、中継局の接続先を第１の基地局から第２の基地局に切り替えるハンドオーバが実行される前に、中継局から第２の基地局についての情報を取得し、第２の基地局についての情報に基づいて、ハンドオーバの後に中継局からチャネルを受信するタイミングを制御する。【００１２】
また、所定のチャネルを異なるタイミングで送信する第１および第２の基地局と、第１または第２の基地局に接続し接続先の基地局により送信されるチャネルを接続先の基地局に応じたタイミングで転送する中継局と、中継局からチャネルを間欠的に受信する移動局とを有する移動通信システムが提供される。中継局は、接続先の基地局を第１の基地局から第２の基地局に切り替えるハンドオーバの実行前に、第２の基地局についての情報を送信する。移動局は、ハンドオーバの前に中継局から受信した第２の基地局についての情報に基づいて、ハンドオーバの後に中継局からチャネルを受信するタイミングを制御する。
【発明の効果】
【００１３】
上記無線通信方法、中継局、移動局および移動通信システムによれば、中継局がハンドオーバを行うことによる移動局の通信への影響を抑制できる。
本発明の上記および他の目的、特徴および利点は本発明の例として好ましい実施の形態を表す添付の図面と関連した以下の説明により明らかになるであろう。
【図面の簡単な説明】
【００１４】
【図１】第１の実施の形態の移動通信システムを示す図である。
【図２】第２の実施の形態の移動通信システムを示す図である。
【図３】無線フレームの構造例を示す図である。
【図４】中継局の通信タイミングの例を示す図である。
【図５】ページングチャネルの送信例を示す図である。
【図６】基地局を示すブロック図である。
【図７】中継局を示すブロック図である。
【図８】中継局を示すブロック図（続き）である。
【図９】移動局を示すブロック図である。
【図１０】基地局のハンドオーバ制御を示すフローチャートである。
【図１１】中継局のハンドオーバ制御を示すフローチャートである。
【図１２】移動局のハンドオーバ制御を示すフローチャートである。
【図１３】ハンドオーバ情報の例を示す図である。
【図１４】ハンドオーバ制御の流れを示す第１のシーケンス図である。
【図１５】ハンドオーバ制御の流れを示す第２のシーケンス図である。
【図１６】ページングチャネルの受信タイミングの例を示す図である。
【発明を実施するための形態】
【００１５】
以下、本実施の形態を、図面を参照して説明する。
［第１の実施の形態］
図１は、第１の実施の形態の移動通信システムを示す図である。第１の実施の形態の移動通信システムは、基地局１０，１０ａ、中継局２０および移動局３０を有する。移動局３０は、中継局２０に接続する。中継局２０は、基地局１０または基地局１０ａに接続して、移動局３０の通信を中継する。中継局２０は、例えば、移動型の無線装置である。
【００１６】
中継局２０は、送信部２１および制御部２２を有する。送信部２１は、基地局１０により送信されるチャネルを基地局１０に応じたタイミングで転送する。また、中継局２０の接続先を基地局１０から基地局１０ａに切り替えるハンドオーバが実行されると、基地局１０ａにより送信されるチャネルを基地局１０ａに応じたタイミングで転送する。上記チャネルは、例えば、移動局３０の呼び出しに用いられるページングチャネルである。制御部２２は、ハンドオーバの前に、基地局１０ａについての情報を送信するよう制御する。基地局１０ａについての情報は、例えば、基地局１０ａの報知情報に含まれている。
【００１７】
移動局３０は、受信部３１および制御部３２を有する。受信部３１は、中継局２０を介して、基地局１０または基地局１０ａにより送信されるチャネル（例えば、ページングチャネル）を間欠的に（例えば、定期的に）受信する。制御部３２は、上記ハンドオーバが実行される前に、中継局２０から基地局１０ａについての情報を取得する。基地局１０ａについての情報には、例えば、チャネルを受信するフレームを特定するために用いる情報が含まれる。制御部３２は、取得した基地局１０ａについての情報に基づいて、ハンドオーバの後に中継局２０からチャネルを受信するタイミングを制御する。
【００１８】
なお、中継局２０は、基地局１０ａについての情報を、ハンドオーバが決定されてからハンドオーバが実行されるまでの間に、報知チャネルで送信（報知）してもよい。その場合、中継局２０は、報知チャネルで伝送される情報が変化したことを示す通知情報を、上記チャネルで送信してもよい。上記チャネルを間欠的に受信する移動局３０は、通知情報を検出すると、報知チャネルを受信して基地局１０ａについての情報を抽出する。また、中継局２０は、ハンドオーバの前、基地局１０ａについての情報を、基地局１０の報知情報と多重化して報知チャネルで送信してもよい。中継局２０は、基地局１０ａについての情報を、基地局１０ａから無線で受信しても、基地局１０経由で取得してもよい。
【００１９】
このような第１の実施の形態の移動通信システムでは、中継局２０が、自局の接続先を基地局１０から基地局１０ａに切り替えるハンドオーバの実行前に、基地局１０ａについての情報を送信する。移動局３０が、ハンドオーバの前に中継局２０から受信した基地局１０ａについての情報に基づいて、ハンドオーバの後に中継局２０からチャネルを受信するタイミングを制御する。
【００２０】
これにより、中継局２０がハンドオーバを行っても、チャネルを間欠的に受信する移動局３０への影響を抑制できる。すなわち、移動局３０は、ハンドオーバ前に基地局１０ａについての情報を中継局２０から取得できるため、ハンドオーバにより中継局２０が上記チャネルを転送するタイミングが変化しても、変化後のタイミングを容易に算出することができる。よって、移動局３０は、基地局１０ａにより送信されるチャネルを間欠的に受信する状態に迅速に移行することができ、移動局３０の消費電力を抑制できる。
【００２１】
［第２の実施の形態］
図２は、第２の実施の形態の移動通信システムを示す図である。第２の実施の形態の移動通信システムは、基地局１００，１００ａ、中継局２００および移動局３００を含む。移動局３００は、中継局２００を介して基地局１００，１００ａと通信を行う。
【００２２】
基地局１００，１００ａは、中継局２００と無線通信を行う無線通信装置である。基地局１００，１００ａは、有線ネットワーク（図示せず）に接続されている。基地局１００，１００ａは、有線ネットワークと中継局２００との間で、移動局３００が送信または受信するデータを転送する。また、基地局１００，１００ａは、移動局３００の呼び出しを行う場合、ページングチャネル（ＰＣＨ：Paging Channel）で呼び出し情報を送信する。なお、第２の実施の形態では、基地局１００と基地局１００ａとが、異なるタイミングでフレームやシンボルを送信する場合を考える。
【００２３】
中継局２００は、基地局１００または基地局１００ａに接続し、接続先の基地局と移動局３００との間で通信を中継する無線通信装置である。中継局２００は、接続先の基地局に同期し、基地局側の同期状態に応じたタイミングで移動局３００にフレームやシンボルを送信する。中継局２００は、接続先の基地局と移動局３００との間で、データやＰＣＨを転送する。なお、第２の実施の形態では、中継局２００は移動型の中継局（例えば、列車や自動車などの車両に搭載された中継局）であり、接続先を基地局１００から基地局１００ａに切り替えるハンドオーバを行う場合を考える。
【００２４】
移動局３００は、中継局２００に接続し、中継局２００経由で基地局１００，１００ａと通信を行う無線端末装置である。移動局３００として、例えば、携帯電話機や携帯情報端末装置を用いることができる。移動局３００は、中継局２００に同期し、中継局２００へのデータ送信や中継局２００からのデータの受信を行う。また、データ通信を行っていない待ち受け状態では、移動局３００は、中継局２００からＰＣＨを周期的に受信する。そして、自局の呼び出しを示す呼び出し情報を受信すると、待ち受け状態を解除する。
【００２５】
なお、移動局３００がＰＣＨを受信すべきフレームは、基地局１００，１００ａが送信する報知情報に含まれるパラメータと、移動局３００に付与された識別情報とに基づいて算出される。ＰＣＨを受信するフレームの算出に用いられるパラメータは、ＰＣＨを送信する基地局によって異なる可能性がある。すなわち、中継局２００が基地局１００に接続するか基地局１００ａに接続するかによって、移動局３００が中継局２００からＰＣＨを受信するフレームが異なる可能性がある。
【００２６】
また、中継局２００は、ＬＴＥ−ＡにおいてＴｙｐｅ１と呼ばれる中継局として実装することができる。すなわち、中継局２００は、レイヤ３までのプロトコル処理を行い、移動局３００に対して基地局１００，１００ａと同様にアクセス可能な無線通信装置として振る舞う。基地局・中継局間の無線通信に用いる周波数帯域と、中継局・移動局間の無線通信に用いる周波数帯域とは、少なくとも一部が重複している。
【００２７】
図３は、無線フレームの構造例を示す図である。図３に示すような無線フレームが、基地局１００，１００ａから移動局３００への方向の通信リンク（下りリンク（ＤＬ：Downlink））、および、移動局３００から基地局１００，１００ａへの方向の通信リンク（上りリンク（ＵＬ：Uplink））それぞれで伝送される。第２の実施の形態では、複信方式として周波数分割複信（ＦＤＤ：Frequency Division Duplex）を用いる場合を考える。ただし、時分割複信（ＴＤＤ：Time Division Duplex）を用いることも可能である。
【００２８】
１０ｍｓ幅の無線フレームは、１ｍｓ幅の１０個のサブフレーム（サブフレーム＃０〜＃９）を含む。サブフレームの無線リソースは、周波数方向および時間方向に細分化されて管理される。周波数方向の最小単位はサブキャリアであり、時間方向の最小単位はシンボルである。細分化された無線リソースが、各種のチャネルに割り当てられる。データや制御情報の送信のスケジューリングは、サブフレーム単位で行われる。
【００２９】
ＤＬ無線フレームでは、物理チャネルとして、下りリンク物理共有チャネル（ＰＤＳＣＨ：Physical Downlink Shared Channel）、下りリンク物理制御チャネル（ＰＤＣＣＨ：Physical Downlink Control Channel）、物理報知チャネル（ＰＢＣＨ：Physical Broadcast Channel）などが送信される。ＰＤＳＣＨは、データを送信するためのチャネルである。ＰＤＣＣＨは、物理レイヤの制御信号を送信するためのチャネルである。ＰＤＣＣＨには、サブフレームの先頭の数シンボル（１〜３シンボル）が割り当てられる。ＰＢＣＨは、システム情報などの報知情報を送信するためのチャネルである。
【００３０】
また、ＤＬ無線フレームでは、トランスポートチャネルであるＰＣＨが、ＰＤＳＣＨにマッピングされて送信される。また、無線フレームでは、参照信号（ＲＳ：Reference Signal）などのパイロット信号が送信される。パイロット信号は、受信電力レベルや無線回線品質の測定、同期確立などのために参照される。
【００３１】
図４は、中継局の通信タイミングの例を示す図である。中継局２００は、自己干渉を抑制するため、基地局１００，１００ａからの無線信号の受信と移動局３００への無線信号の送信とを同時に行わないよう制御する。
【００３２】
すなわち、中継局２００は、基地局１００，１００ａから無線信号を受信するサブフレームを設定する。そして、設定した当該サブフレームでは移動局３００への無線信号の送信を停止し、設定した当該サブフレーム以外のサブフレームで移動局３００に無線信号を送信する。ただし、中継局２００は、基地局１００，１００ａから無線信号を受信するサブフレームであっても、ＰＤＣＣＨに割り当てられる制御用のリソース領域では、移動局３００に無線信号を送信してもよい。
【００３３】
なお、中継局２００は、基地局１００，１００ａから無線信号を受信するサブフレームを、予め基地局１００，１００ａと合意しておく。また、中継局２００は、ＵＬ通信においてもＤＬ通信と同様に、移動局３００からの無線信号の受信と基地局１００，１００ａへの無線信号の送信とを同時に行わないよう制御する。
【００３４】
図５は、ページングチャネルの送信例を示す図である。図５では、中継局２００が基地局１００に接続している場合を考える。基地局１００，１００ａは、ＰＣＨを継続的に送信する。中継局２００は、基地局１００からＰＣＨを受信し、ＤＬサブフレームで転送する。移動局３００は、待ち受け状態では、基地局１００により送信されるＰＣＨの一部を周期的（例えば、２．５６秒毎）に中継局２００から受信する。
【００３５】
移動局３００がＰＣＨを受信する周期およびサブフレームは、前述の通り、基地局１００が送信する報知情報に含まれるパラメータと移動局３００に付与された識別情報とから算出される。移動局３００が、基地局１００の送信するＰＣＨの一部のみを受信することで、移動局３００の省電力化を図ることができる。基地局１００の報知情報は、中継局２００が基地局１００から受信してＤＬ無線フレームのＰＢＣＨで送信する。
【００３６】
ＰＣＨでは、前述の通り、移動局３００の呼び出しを示す呼び出し情報が送信される。移動局３００は、ＰＣＨを受信して自局の呼び出しを検出すると、待ち受け状態を解除しデータ通信が可能な状態になる。一方、自局の呼び出しを検出しない場合、次にＰＣＨを受信するタイミング（例えば、２．５６秒後）まで、受信回路の動作を停止させる。ただし、ＰＣＨでは、報知情報が更新されたことを示す通知情報が送信されることがある。移動局３００は、報知情報の更新を検出すると、受信回路の動作を停止させる前に中継局２００からＰＢＣＨを受信する。そして、報知情報に含まれるパラメータが変化している場合、ＰＣＨを受信する周期やサブフレームを再計算する。
【００３７】
図６は、基地局を示すブロック図である。基地局１００は、無線受信部１１１、復調部１１２、同期確立部１１３、フレーム分解部１１４、復号部１１５、多重分離部１２１、制御情報処理部１２２、符号化部１３１、パイロット生成部１３２、フレーム生成部１３３、変調部１３４および無線送信部１３５を有する。基地局１００ａも、基地局１００と同様のブロック構成によって実現することができる。
【００３８】
無線受信部１１１は、基地局１００が備えるアンテナから取得した受信信号を無線信号処理し、高周波数の無線信号から低周波数のベースバンド信号への変換（ダウンコンバート）を行う。無線受信部１１１は、例えば、低雑音増幅器（ＬＮＡ：Low Noise Amplifier）、直交復調器、ＡＤＣ（Analog to Digital Converter）などの回路を備える。無線受信部１１１は、得られたベースバンド信号を復調部１１２に出力する。
【００３９】
復調部１１２は、無線受信部１１１から取得したベースバンド信号を、ディジタル復調する。復調は、所定の変調符号化方式（ＭＣＳ：Modulation and Coding Scheme）または適応的に選択されるＭＣＳに対応する方法で行う。そして、復調部１１２は、復調されたベースバンド信号をフレーム分解部１１４に出力する。また、復調部１１２は、復調されたベースバンド信号からパイロット信号を抽出し、同期確立部１１３に出力する。
【００４０】
同期確立部１１３は、復調部１１２から取得した既知のパイロット信号に基づいて、中継局２００からＵＬ無線フレームやシンボルを受信するタイミングを検出し、中継局２００と同期を確立する。そして、基地局１００の受信処理のタイミングを制御する。
【００４１】
フレーム分解部１１４は、復調部１１２から取得したベースバンド信号から、ＵＬ無線フレームに含まれる各種チャネルのベースバンド信号を分離して抽出する。そして、抽出したチャネル毎のベースバンド信号を復号部１１５に出力する。
【００４２】
復号部１１５は、フレーム分解部１１４から取得した各種チャネルのベースバンド信号を誤り訂正復号する。復号は、所定のＭＣＳまたは適応的に選択されるＭＣＳに対応する方法で行う。そして、復号されたベースバンド信号を多重分離部１２１に出力する。
【００４３】
多重分離部１２１は、復号部１１５から取得したベースバンド信号に含まれるデータと制御情報とを分離する。分離されたデータは、パケット化されて有線ネットワークに出力される。分離された制御情報は、制御情報処理部１２２に出力される。また、多重分離部１２１は、移動局３００に送信するデータと制御情報処理部１２２から取得した制御情報とを多重化し、符号化部１３１に出力する。
【００４４】
制御情報処理部１２２は、多重分離部１２１からＵＬの制御情報を取得し中継局２００との通信を制御する。ＵＬの制御情報には、ハンドオーバ要求が含まれる。制御情報処理部１２２は、中継局２００が送信したハンドオーバ要求を取得すると、中継局２００の接続先を基地局１００から基地局１００ａに切り替えるハンドオーバの制御を行う。また、制御情報処理部１２２は、ＤＬの制御情報を生成して多重分離部１２１に出力する。ＤＬの制御情報には、中継局２００にハンドオーバの実行を指示するためのハンドオーバ命令が含まれる。また、ＤＬの制御情報には、報知情報やＰＣＨの呼び出し情報が含まれる。
【００４５】
符号化部１３１は、多重分離部１２１から取得した各種チャネルのベースバンド信号を誤り訂正符号化する。符号化は、所定のＭＣＳまたは適応的に選択されるＭＣＳを用いて行う。そして、符号化されたベースバンド信号をフレーム生成部１３３に出力する。
【００４６】
パイロット生成部１３２は、ＲＳなどの既知のパイロット信号を生成し、生成したパイロット信号をフレーム生成部１３３に出力する。
フレーム生成部１３３は、符号化部１３１から取得したベースバンド信号とパイロット生成部１３２から取得したパイロット信号とを、ＤＬ無線フレームにマッピングする。そして、ＤＬ無線フレームのベースバンド信号を、変調部１３４に出力する。
【００４７】
変調部１３４は、フレーム生成部１３３から取得したベースバンド信号をディジタル変調する。変調は、所定のＭＣＳまたは適応的に選択されるＭＣＳを用いて行う。そして、変調部１３４は、変調されたベースバンド信号を無線送信部１３５に出力する。
【００４８】
無線送信部１３５は、変調部１３４から取得したベースバンド信号を無線信号処理し、低周波数のベースバンド信号から高周波数の無線信号へ変換（アップコンバート）する。無線送信部１３５は、例えば、ＤＡＣ（Digital to Analog Converter）、直交変調器、電力増幅器などの回路を備える。無線送信部１３５は、得られた送信信号を、基地局１００が備えるアンテナに出力する。
【００４９】
図７は、中継局を示すブロック図である。図７は、基地局１００，１００ａ側のブロック構造を示している。中継局２００は、無線受信部２１１、復調部２１２、同期確立部２１３、フレーム分解部２１４、復号部２１５、多重分離部２２１、制御情報処理部２２２、バッファ２２３、符号化部２３１、パイロット生成部２３２、フレーム生成部２３３、変調部２３４および無線送信部２３５を有する。
【００５０】
無線受信部２１１は、中継局２００が備えるアンテナから取得した高周波数の無線信号を低周波数のベースバンド信号へダウンコンバートし、復調部２１２に出力する。
復調部２１２は、無線受信部２１１から取得したベースバンド信号を、ディジタル復調してフレーム分解部２１４に出力する。また、復調部２１２は、復調されたベースバンド信号からパイロット信号を抽出し、同期確立部２１３に出力する。
【００５１】
同期確立部２１３は、復調部２１２から取得したパイロット信号に基づいて、基地局１００，１００ａからＤＬ無線フレームやシンボルを受信するタイミングを検出し、基地局１００または基地局１００ａと同期を確立する。そして、中継局２００の受信処理のタイミングを制御する。また、同期確立部２１３は、セルサーチを行う。すなわち、パイロット信号に基づいて各セルの受信電力レベルを測定し、接続先の基地局の候補を検出する。なお、中継局２００がハンドオーバを行うとき、ハンドオーバ先の基地局からの受信タイミングは、セルサーチによりハンドオーバの実行前に既に検出されている。よって、同期確立部２１３は、ハンドオーバの前に、ハンドオーバ先の基地局と同期を取る準備を行う（仮に同期を確立する）ことが可能である。
【００５２】
フレーム分解部２１４は、復調部２１２から取得したベースバンド信号から、ＤＬ無線フレームに含まれる各種チャネルのベースバンド信号を分離して抽出し、チャネル毎のベースバンド信号を復号部２１５に出力する。
【００５３】
復号部２１５は、フレーム分解部２１４から取得した各種チャネルのベースバンド信号を誤り訂正復号し、復号されたベースバンド信号を多重分離部２２１に出力する。
多重分離部２２１は、復号部２１５から取得したベースバンド信号に含まれるデータと制御情報とを分離する。分離されたＤＬのデータは、バッファ２２３に格納される。分離されたＤＬの制御情報は、制御情報処理部２２２に出力される。また、多重分離部２２１は、バッファ２２３に格納されたＵＬのデータと制御情報処理部２２２から取得したＵＬの制御情報とを多重化し、符号化部２３１に出力する。
【００５４】
制御情報処理部２２２は、多重分離部２２１からＤＬの制御情報を取得し基地局１００，１００ａとの通信を制御する。ＤＬの制御情報には、ハンドオーバ命令が含まれる。制御情報処理部２２２は、ハンドオーバ命令を取得すると、中継局２００の接続先を基地局１００から基地局１００ａに切り替える。また、ＤＬの制御情報には、基地局１００，１００ａの報知情報やＰＣＨの呼び出し情報が含まれる。また、制御情報処理部２２２は、移動局３００との通信の制御に用いられる制御情報をバッファ２２３に格納する。また、制御情報処理部２２２は、ＵＬの制御情報を生成して多重分離部２２１に出力する。ＵＬの制御情報には、ハンドオーバ要求が含まれる。
【００５５】
符号化部２３１は、多重分離部２２１から取得した各種チャネルのベースバンド信号を誤り訂正符号化し、符号化されたベースバンド信号をフレーム生成部２３３に出力する。
パイロット生成部２３２は、既知のパイロット信号を生成し、生成したパイロット信号をフレーム生成部２３３に出力する。
【００５６】
フレーム生成部２３３は、符号化部２３１から取得したベースバンド信号とパイロット生成部２３２から取得したパイロット信号とをＵＬ無線フレームにマッピングし、ＵＬ無線フレームのベースバンド信号を変調部２３４に出力する。
【００５７】
変調部２３４は、フレーム生成部２３３から取得したベースバンド信号をディジタル変調し、変調されたベースバンド信号を無線送信部２３５に出力する。
無線送信部２３５は、変調部２３４から取得した低周波数のベースバンド信号を高周波数の無線信号へアップコンバートし、中継局２００が備えるアンテナに出力する。
【００５８】
図８は、中継局を示すブロック図（続き）である。図８は、移動局３００側のブロック構造を示している。中継局２００は、更に、多重分離部２２４、制御情報処理部２２５、無線受信部２４１、復調部２４２、同期確立部２４３、フレーム分解部２４４、復号部２４５、符号化部２５１、パイロット生成部２５２、フレーム生成部２５３、変調部２５４および無線送信部２５５を有する。なお、符号化部２５１、フレーム生成部２５３、変調部２５４および無線送信部２５５の集合は、第１の実施の形態の送信部２１の一例と見ることができる。また、制御情報処理部２２５は、制御部２２の一例と見ることができる。
【００５９】
多重分離部２２４は、復号部２４５から取得したベースバンド信号に含まれるデータと制御情報とを分離する。分離されたＵＬのデータは、バッファ２２３に格納される。分離されたＵＬの制御情報は、制御情報処理部２２５に出力される。また、多重分離部２２４は、バッファ２２３に格納されたＤＬのデータと制御情報処理部２２５から取得したＤＬの制御情報とを多重化し、符号化部２５１に出力する。
【００６０】
制御情報処理部２２５は、ＵＬの制御情報を多重分離部２２４から取得すると共に、制御情報処理部２２２からバッファ２２３を介してＤＬの制御情報を取得し、移動局３００との通信を制御する。また、制御情報処理部２２５は、移動局３００に送信するＤＬの制御情報を生成して多重分離部２２４に出力する。移動局３００に送信する制御情報には、基地局１００，１００ａから受信された報知情報やＰＣＨの呼び出し情報が含まれる。
【００６１】
例えば、制御情報処理部２２５は、中継局２００が基地局１００に接続しているとき、基地局１００から受信された報知情報をＰＢＣＨで転送するようにする。また、中継局２００が基地局１００ａに接続しているとき、基地局１００ａから受信された報知情報をＰＢＣＨで転送するようにする。ただし、制御情報処理部２２５は、中継局２００が基地局１００から基地局１００ａにハンドオーバを行う際は、ハンドオーバ情報をＰＢＣＨで送信するようにする。ハンドオーバ情報には、基地局１００の報知情報と、基地局１００ａの報知情報の少なくとも一部と、ハンドオーバ前後の通信タイミングの差を示すタイミング差情報とが含まれる。通信タイミングの差は、同期確立部２１３で検出される。
【００６２】
無線受信部２４１は、中継局２００が備えるアンテナから取得した高周波数の無線信号を低周波数のベースバンド信号へダウンコンバートし、復調部２４２に出力する。
復調部２４２は、無線受信部２４１から取得したベースバンド信号を、ディジタル復調してフレーム分解部２４４に出力する。また、復調部２４２は、復調されたベースバンド信号からパイロット信号を抽出し、同期確立部２４３に出力する。
【００６３】
同期確立部２４３は、復調部２４２から取得したパイロット信号に基づいて、移動局３００からＵＬ無線フレームやシンボルを受信するタイミングを検出し、移動局３００と同期を確立する。そして、中継局２００の受信処理のタイミングを制御する。
【００６４】
フレーム分解部２４４は、復調部２４２から取得したベースバンド信号から、ＵＬ無線フレームに含まれる各種チャネルのベースバンド信号を分離して抽出し、チャネル毎のベースバンド信号を復号部２４５に出力する。
【００６５】
復号部２４５は、フレーム分解部２４４から取得した各種チャネルのベースバンド信号を誤り訂正復号し、復号されたベースバンド信号を多重分離部２２４に出力する。
符号化部２５１は、多重分離部２２４から取得した各種チャネルのベースバンド信号を誤り訂正符号化し、符号化されたベースバンド信号をフレーム生成部２５３に出力する。
【００６６】
パイロット生成部２５２は、ＲＳなどの既知のパイロット信号を生成し、生成したパイロット信号をフレーム生成部２５３に出力する。
フレーム生成部２５３は、符号化部２５１から取得したベースバンド信号とパイロット生成部２５２から取得したパイロット信号とをＤＬ無線フレームにマッピングし、ＤＬ無線フレームのベースバンド信号を変調部２５４に出力する。
【００６７】
変調部２５４は、フレーム生成部２５３から取得したベースバンド信号をディジタル変調し、変調されたベースバンド信号を無線送信部２５５に出力する。
無線送信部２５５は、変調部２５４から取得した低周波数のベースバンド信号を高周波数の無線信号へアップコンバートし、中継局２００が備えるアンテナに出力する。
【００６８】
図９は、移動局を示すブロック図である。移動局３００は、無線受信部３１１、復調部３１２、同期確立部３１３、フレーム分解部３１４、復号部３１５、多重分離部３２１、制御情報処理部３２２、符号化部３３１、パイロット生成部３３２、フレーム生成部３３３、変調部３３４および無線送信部３３５を有する。なお、無線受信部３１１、復調部３１２、フレーム分解部３１４および復号部３１５の集合は、第１の実施の形態の受信部３１の一例と見ることができる。また、制御情報処理部３２２は、第１の実施の形態の制御部３２の一例と見ることができる。
【００６９】
無線受信部３１１は、移動局３００が備えるアンテナから取得した高周波数の無線信号を低周波数のベースバンド信号へダウンコンバートし、復調部３１２に出力する。
復調部３１２は、無線受信部３１１から取得したベースバンド信号を、ディジタル復調してフレーム分解部３１４に出力する。また、復調部３１２は、復調されたベースバンド信号からパイロット信号を抽出し、同期確立部３１３に出力する。
【００７０】
同期確立部３１３は、復調部３１２から取得したパイロット信号に基づいて、中継局２００からＤＬ無線フレームやシンボルを受信するタイミングを検出し、中継局２００と同期を確立する。そして、移動局３００の受信処理のタイミングを制御する。また、同期確立部３１３は、セルサーチを行う。すなわち、パイロット信号に基づいて各セルの受信電力レベルを測定し、接続先の中継局（または、基地局）の候補を検出する。また、同期確立部３１３は、中継局２００がハンドオーバを行う前に、制御情報処理部３２２からタイミング差情報を取得する。そして、タイミング差情報に基づいて、ハンドオーバ実行後の中継局２００と同期を取る準備を行い、ハンドオーバの後に迅速に同期を確立する。
【００７１】
フレーム分解部３１４は、復調部３１２から取得したベースバンド信号から、ＤＬ無線フレームに含まれる各種チャネルのベースバンド信号を分離して抽出し、チャネル毎のベースバンド信号を復号部３１５に出力する。
【００７２】
復号部３１５は、フレーム分解部３１４から取得した各種チャネルのベースバンド信号を誤り訂正復号し、復号されたベースバンド信号を多重分離部３２１に出力する。
多重分離部３２１は、復号部３１５から取得したベースバンド信号に含まれるデータと制御情報とを分離する。分離されたＤＬのデータは、上位レイヤのデータ処理部（図示せず）に渡される。分離されたＤＬの制御情報は、制御情報処理部３２２に出力される。また、多重分離部３２１は、ＵＬのデータと制御情報処理部３２２から取得したＵＬの制御情報とを多重化し、符号化部３３１に出力する。
【００７３】
制御情報処理部３２２は、多重分離部３２１からＤＬの制御情報を取得し、中継局２００との通信を制御する。ＤＬの制御情報には、報知情報やＰＣＨの呼び出し情報が含まれる。制御情報処理部３２２は、中継局２００から受信された報知情報に含まれるパラメータと移動局３００に付与された識別情報とから、移動局３００がＰＣＨを受信すべき周期およびサブフレームを算出する。そして、移動局３００が待ち受け状態にあるとき、周期的にＰＣＨを受信するよう制御する。
【００７４】
また、制御情報処理部３２２は、中継局２００からハンドオーバ情報が受信されると、ハンドオーバ情報に含まれるタイミング差情報を同期確立部３１３に通知する。また、ハンドオーバの実行後のＰＣＨを受信する周期およびサブフレームを算出し、ハンドオーバの後も継続してＰＣＨを間欠受信できるようにする。また、制御情報処理部３２２は、ＵＬの制御情報を生成して多重分離部３２１に出力する。
【００７５】
符号化部３３１は、多重分離部３２１から取得した各種チャネルのベースバンド信号を誤り訂正符号化し、符号化されたベースバンド信号をフレーム生成部３３３に出力する。
パイロット生成部３３２は、既知のパイロット信号を生成し、生成したパイロット信号をフレーム生成部３３３に出力する。
【００７６】
フレーム生成部３３３は、符号化部３３１から取得したベースバンド信号とパイロット生成部３３２から取得したパイロット信号とをＵＬ無線フレームにマッピングし、ＵＬ無線フレームのベースバンド信号を変調部３３４に出力する。
【００７７】
変調部３３４は、フレーム生成部３３３から取得したベースバンド信号をディジタル変調し、変調されたベースバンド信号を無線送信部３３５に出力する。
無線送信部３３５は、変調部３３４から取得した低周波数のベースバンド信号を高周波数の無線信号へアップコンバートし、移動局３００が備えるアンテナに出力する。
【００７８】
図１０は、基地局のハンドオーバ制御を示すフローチャートである。ここでは、ハンドオーバ元の基地局１００で実行される処理を考える。以下、図１０に示す処理をステップ番号に沿って説明する。
【００７９】
（ステップＳ１１）制御情報処理部１２２は、中継局２００からハンドオーバ要求を取得したか判断する。ハンドオーバ要求を取得した場合、処理をステップＳ１２に進める。取得していない場合、ステップＳ１１の処理を繰り返す。
【００８０】
（ステップＳ１２）制御情報処理部１２２は、ハンドオーバ先の基地局１００ａに、基地局１００ａが中継局２００のハンドオーバ先に決定されたことを示すハンドオーバ通知を、有線ネットワークを介して通知する。
【００８１】
（ステップＳ１３）制御情報処理部１２２は、基地局１００ａから、中継局２００の受け入れが可能であることを示すハンドオーバ応答を取得する。基地局１００ａから取得するハンドオーバ応答には、基地局１００ａの報知情報が含まれている。
【００８２】
（ステップＳ１４）制御情報処理部１２２は、レイヤ３の制御情報として、ハンドオーバの実行を指示するためのハンドオーバ命令を生成する。ハンドオーバ命令には、ステップＳ１３で取得した基地局１００ａの報知情報が含まれる。無線送信部１３５は、中継局２００にハンドオーバ命令を送信する。
【００８３】
図１１は、中継局のハンドオーバ制御を示すフローチャートである。ここでは、移動局３００が待ち受け状態であり、中継局２００が基地局１００から基地局１００ａにハンドオーバする場合を考える。以下、図１１に示す処理をステップ番号に沿って説明する。
【００８４】
（ステップＳ２１）制御情報処理部２２２は、基地局１００からＤＬサブフレームを受信するタイミングであるか判断する。受信するタイミングである場合、処理をステップＳ２２に進める。受信しないタイミングである場合、処理をステップＳ２４に進める。
【００８５】
（ステップＳ２２）同期確立部２１３は、基地局１００，１００ａから受信されたパイロット信号に基づいて、周辺セルの受信電力レベルを測定する。
（ステップＳ２３）制御情報処理部２２２は、ステップＳ２２の測定結果から、基地局１００のセルより受信電力レベルが高い他のセルが存在するか判断する。存在する場合、処理をステップＳ２６に進める。存在しない場合、処理をステップＳ２１に進める。
【００８６】
（ステップＳ２４）制御情報処理部２２５は、基地局１００により送信されるＰＣＨを転送するタイミングであるか判断する。転送するタイミングである場合、処理をステップＳ２５に進める。転送するタイミングでない場合、処理をステップＳ２１に進める。
【００８７】
（ステップＳ２５）制御情報処理部２２５は、基地局１００から受信された呼び出し情報を出力する。無線送信部２５５は、ＰＣＨを移動局３００に送信する。そして、処理をステップＳ２１に進める。
【００８８】
（ステップＳ２６）制御情報処理部２２２は、ハンドオーバ要求を生成する。無線送信部２３５は、ハンドオーバ要求を基地局１００に送信する。無線受信部２１１は、基地局１００からハンドオーバ命令を受信する。制御情報処理部２２２は、ハンドオーバ命令に含まれる基地局１００ａの報知情報を抽出する。
【００８９】
（ステップＳ２７）制御情報処理部２２５は、ハンドオーバが実行されることを検知すると、ＰＢＣＨの報知情報が変更されたことを示す変更通知を生成する。無線送信部２５５は、変更通知をＰＣＨで送信する。
【００９０】
（ステップＳ２８）同期確立部２１３は、基地局１００と基地局１００ａとの間のフレームやシンボルの受信タイミングの差を算出する。基地局１００ａの受信タイミングは、ステップＳ２２で、パイロット信号を受信する処理を通じて既に検出されている。制御情報処理部２２５は、ハンドオーバ情報を生成する。ハンドオーバ情報には、基地局１００の報知情報と、ステップＳ２６で取得された基地局１００ａの報知情報の少なくとも一部と、受信タイミング差を示すタイミング差情報とを含む。無線送信部２５５は、ＰＢＣＨでハンドオーバ情報を送信する。
【００９１】
（ステップＳ２９）制御情報処理部２２２は、接続先を基地局１００から基地局１００ａに切り替えるハンドオーバを実行する。
（ステップＳ３０）同期確立部２１３は、ステップＳ２２で検出されている受信タイミングに基づいて、基地局１００ａと同期を確立する。
【００９２】
図１２は、移動局のハンドオーバ制御を示すフローチャートである。ここでは、移動局３００が待ち受け状態である場合を考える。以下、図１２に示す処理をステップ番号に沿って説明する。
【００９３】
（ステップＳ３１）制御情報処理部３２２は、中継局２００からＰＣＨを受信するタイミングであるか判断する。受信するタイミングである場合、処理をステップＳ３２に進める。受信するタイミングでない場合、ステップＳ３１の処理を繰り返す。
【００９４】
（ステップＳ３２）制御情報処理部３２２は、ＰＣＨで変更通知が受信されたか判断する。変更通知が受信された場合、処理をステップＳ３３に進める。変更通知が受信されなかった場合、処理をステップＳ３５に進める。
【００９５】
（ステップＳ３３）無線受信部３１１は、中継局２００からＰＢＣＨを受信する。
（ステップＳ３４）制御情報処理部３２２は、ＰＢＣＨでハンドオーバ情報が受信されたか判断する。ハンドオーバ情報が受信された場合、処理をステップＳ３９に進める。受信されなかった場合、処理をステップＳ３１に進める。
【００９６】
（ステップＳ３５）制御情報処理部３２２は、自局の呼び出しを示す呼び出し情報がＰＣＨで受信されたか判断する。受信された場合、処理をステップＳ３６に進める。受信されなかった場合、処理をステップＳ３７に進める。
【００９７】
（ステップＳ３６）制御情報処理部３２２は、待ち受け状態を解除し、データ通信が可能な状態に移行する。そして、処理を終了する。
（ステップＳ３７）同期確立部３１３は、受信されたパイロット信号に基づいて、周辺セルの受信電力レベルを測定する。
【００９８】
（ステップＳ３８）制御情報処理部３２２は、ステップＳ３７の測定結果から、中継局２００のセルより受信電力レベルが高い他のセルが存在するか判断する。存在する場合、処理をステップＳ３９に進める。存在しない場合、処理をステップＳ３１に進める。
【００９９】
（ステップＳ３９）同期確立部３１３は、フレームやシンボルの受信タイミングが変更になると、再度同期を確立する。その際、同期確立部３１３は、中継局２００のハンドオーバにより受信タイミングが変更される場合は、ハンドオーバ前の受信タイミングとハンドオーバ情報に含まれるタイミング差情報とに基づいて、ハンドオーバ後の受信タイミングを算出する。一方、移動局３００のハンドオーバにより受信タイミングが変更される場合は、ステップＳ３７で検出されている受信タイミングに基づいて、同期を確立する。
【０１００】
（ステップＳ４０）制御情報処理部３２２は、ハンドオーバ先に関する報知情報を取得済みか判断する。取得済みの場合、処理をステップＳ４２に進める。未取得の場合、処理をステップＳ４１に進める。
【０１０１】
（ステップＳ４１）無線受信部３１１は、新たな接続先からＰＢＣＨを受信する。制御情報処理部３２２は、ＰＢＣＨの報知情報を抽出する。
（ステップＳ４２）制御情報処理部３２２は、取得済みの報知情報に含まれるパラメータと移動局３００の識別情報とから、ＰＣＨを受信する周期およびサブフレームを算出する。中継局２００のハンドオーバにより受信タイミングが変更される場合は、ハンドオーバ情報に含まれる基地局１００ａの報知情報を用いて算出する。そして、制御情報処理部３２２は、ＰＣＨの受信タイミングを設定する。
【０１０２】
図１３は、ハンドオーバ情報の例を示す図である。前述の通り、中継局２００がＰＢＣＨで送信するハンドオーバ情報には、基地局１００の報知情報と基地局１００ａの報知情報の少なくとも一部とタイミング差情報とが含まれる。ここで、中継局２００は、基地局１００ａの報知情報の全部を送信してもよい（図１３の（Ａ））。また、基地局１００ａの報知情報の中から、基地局１００の報知情報と異なる部分（差分）を抽出して送信してもよい（図１３の（Ｂ））。中継局２００は、差分を抽出することで、ハンドオーバ情報のデータ量を抑制することができる。
【０１０３】
図１４は、ハンドオーバ制御の流れを示す第１のシーケンス図である。図１４の処理をステップ番号に沿って説明する。
（ステップＳ５１）基地局１００は、ＰＣＨを送信する。中継局２００は、基地局１００が送信したＰＣＨを転送する。移動局３００は、基地局１００の報知情報を中継局２００から受信してＰＣＨの受信タイミングを算出し、ＰＣＨを周期的に受信する。
【０１０４】
（ステップＳ５２）基地局１００，１００ａは、それぞれパイロット信号を送信する。中継局２００は、パイロット信号に基づいて、受信電力レベルを測定する。
（ステップＳ５３）中継局２００は、基地局１００ａのセルの受信電力レベルが基地局１００のセルより大きいことを検出し、ハンドオーバ要求を基地局１００に送信する。
【０１０５】
（ステップＳ５４）基地局１００は、ハンドオーバ通知を基地局１００ａに送信する。
（ステップＳ５５）基地局１００ａは、中継局２００を受け入れ可能であることを確認し、基地局１００ａの報知情報を含むハンドオーバ応答を基地局１００に送信する。
【０１０６】
（ステップＳ５６）基地局１００は、ステップＳ５５で取得した基地局１００ａの報知情報を含むハンドオーバ命令を、中継局２００に送信する。
（ステップＳ５７）中継局２００は、ハンドオーバ命令を受信してからハンドオーバを実行するまでの間、ＰＢＣＨの変更を示す変更通知をＰＣＨに挿入して送信する。
【０１０７】
（ステップＳ５８）中継局２００は、ハンドオーバ命令を受信してからハンドオーバを実行するまでの間、基地局１００ａの報知情報の少なくとも一部やタイミング差情報を含むハンドオーバ情報を、ＰＢＣＨで送信する。移動局３００は、ＰＣＨを受信して変更通知を検出すると、ＰＢＣＨを受信してハンドオーバ情報を抽出する。
【０１０８】
（ステップＳ５９）移動局３００は、受信したハンドオーバ情報に基づいて、中継局２００がハンドオーバを実行した後のＰＣＨの受信タイミングを算出する。
（ステップＳ６０）中継局２００は、接続先を基地局１００から基地局１００ａに切り替えるハンドオーバを行う。基地局１００ａは、ＰＣＨを送信する。中継局２００は、基地局１００ａが送信したＰＣＨを転送する。移動局３００は、ステップＳ５９で算出したタイミングでＰＣＨを受信する。
【０１０９】
なお、中継局２００は、ハンドオーバを実行したことを移動局３００に通知してもよいし通知しなくてもよい。前者の場合、移動局３００は、中継局２００からの通知を受けてＰＣＨの受信タイミングを切り替える。後者の場合、移動局３００は、例えば、ハンドオーバ前のタイミングでＰＣＨを受信しようとして受信に失敗すると、ハンドオーバが実行されたと判断し、ＰＣＨの受信タイミングを切り替える。
【０１１０】
以上の説明では、中継局２００は、ハンドオーバ先である基地局１００ａの報知情報を基地局１００から受信することとした。ただし、中継局２００は、基地局１００ａの報知情報を基地局１００ａから直接受信することも可能である。
【０１１１】
図１５は、ハンドオーバ制御の流れを示す第２のシーケンス図である。図１５のシーケンス図は、中継局２００が基地局１００ａの報知情報を直接受信する場合を示している。この第２のシーケンス例では、図１４に示した第１のシーケンス例のステップＳ５４とステップＳ５７の間に、以下のステップＳ５５ａ，Ｓ５６ａ，Ｓ５６ｂが実行される。
【０１１２】
（ステップＳ５５ａ）基地局１００ａは、中継局２００を受け入れ可能であることを確認し、ハンドオーバ応答を基地局１００に送信する。
（ステップＳ５６ａ）基地局１００は、ハンドオーバ命令を中継局２００に送信する。
【０１１３】
（ステップＳ５６ｂ）基地局１００ａは、ＰＢＣＨで報知情報を送信する。中継局２００は、基地局１００ａから報知情報を受信する。中継局２００は、基地局１００ａから受信した報知情報を用いて、ステップＳ５８で送信するハンドオーバ情報を生成する。
【０１１４】
図１６は、ページングチャネルの受信タイミングの例を示す図である。基地局１００，１００ａは、異なるタイミングでそれぞれＰＣＨを継続的に送信する。中継局２００は、基地局１００に接続しているとき、基地局１００からＰＣＨを受信してＤＬサブフレームで転送する。また、基地局１００ａに接続しているとき、基地局１００ａからＰＣＨを受信してＤＬサブフレームで転送する。移動局３００は、待ち受け状態では、中継局２００からＰＣＨを周期的（例えば、２．５６秒毎）に受信する。
【０１１５】
ここで、中継局２００は、接続先を基地局１００から基地局１００ａに切り替えるハンドオーバを実行する前に、ＰＢＣＨの変更通知をＰＣＨに挿入して送信する。移動局３００は、ＰＣＨを受信して変更通知を検出すると、中継局２００からＰＢＣＨを受信する。そして、ＰＢＣＨで伝送されるハンドオーバ情報に基づいて、ハンドオーバの後のＰＣＨの受信タイミングを算出する。移動局３００は、中継局２００のＰＣＨの転送タイミングが変更されると、ハンドオーバ前に算出した受信タイミングでＰＣＨを受信する。これにより、移動局３００は、ＰＣＨを間欠的に受信する待ち受け状態を継続できる。
【０１１６】
このような第２の実施の形態の移動通信システムによれば、中継局２００がハンドオーバを行っても、ＰＣＨを間欠受信する移動局３００への影響を抑制できる。すなわち、移動局３００は、ハンドオーバ前に基地局１００ａの報知情報を中継局２００から取得できるため、ハンドオーバにより中継局２００がＰＣＨを転送するタイミングが変化しても、変化後の受信タイミングを容易に算出することができる。よって、移動局３００は、基地局１００ａにより送信されるＰＣＨを間欠受信する待ち受け状態に迅速に移行することができ、移動局３００の消費電力を抑制できる。
【０１１７】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１１８】
１０，１０ａ  基地局
２０  中継局
２１  送信部
２２，３２  制御部
３０  移動局
３１  受信部
【図１】
2012059994.tif 000003
【図２】
2012059994.tif 000004
【図３】
2012059994.tif 000005
【図４】
2012059994.tif 000006
【図５】
2012059994.tif 000007
【図６】
2012059994.tif 000008
【図７】
2012059994.tif 000009
【図８】
2012059994.tif 000010
【図９】
2012059994.tif 000011
【図１０】
2012059994.tif 000012
【図１１】
2012059994.tif 000013
【図１２】
2012059994.tif 000014
【図１３】
2012059994.tif 000015
【図１４】
2012059994.tif 000016
【図１５】
2012059994.tif 000017
【図１６】
2012059994.tif 000018
【国際調査報告】
2012059994.tif 000019
2012059994.tif 000020
2012059994.tif 000021
2012059994.tif 000022